(57)【要約】    【課題】  全系が小型で広画角かつズーム全域でシェーディングが少なく高画質を得ることが容易なズームレンズを得ること。    【解決手段】  Ｎを５以上の整数として、物体側から像側へ順に配置された、負の屈折力の第１レンズ群、正の屈折力のレンズ群を２つ以上有する中間群、負の屈折力の第（Ｎ−１）レンズ群、正の屈折力の第Ｎレンズ群より構成され、ズーミングに際して隣り合うレンズ群の間隔が変化するズームレンズであって、中間群は開口絞りを有し、広角端と望遠端におけるバックフォーカスＳｋｄｗ、Ｓｋｄｔ、広角端と望遠端における開口絞りから像面までの距離ＳＰＩｍｇｗ、ＳＰＩｍｇｔ、第（Ｎ−１）レンズ群の焦点距離ｆ（Ｎ−１）、第Ｎレンズ群の焦点距離ｆＮを各々適切に設定すること。【選択図】    図１
2018077320.tif 000002
【特許請求の範囲】
【請求項１】
Ｎを５以上の整数として、物体側から像側へ順に配置された、負の屈折力の第１レンズ群、正の屈折力のレンズ群を２つ以上有する中間群、負の屈折力の第（Ｎ−１）レンズ群、正の屈折力の第Ｎレンズ群より構成され、ズーミングに際して隣り合うレンズ群の間隔が変化するズームレンズであって、前記中間群は開口絞りを有し、広角端と望遠端におけるバックフォーカスを各々Ｓｋｄｗ、Ｓｋｄｔ、広角端と望遠端における前記開口絞りから像面までの距離を各々ＳＰＩｍｇｗ、ＳＰＩｍｇｔ、前記第（Ｎ−１）レンズ群の焦点距離をｆ（Ｎ−１）、前記第Ｎレンズ群の焦点距離をｆＮとするとき、
０．１５＜（Ｓｋｄｗ＋Ｓｋｄｔ）／（ＳＰＩｍｇｗ＋ＳＰＩｍｇｔ）＜０．２０
０．５０＜｜ｆ（Ｎ−１）｜／ｆＮ＜２．００
なる条件式を満足することを特徴とするズームレンズ。
【請求項２】
前記中間群は３つの正の屈折力のレンズ群から構成されることを特徴とする請求項１に記載のズームレンズ。
【請求項３】
前記中間群は２つの正の屈折力のレンズ群から構成されることを特徴とする請求項１に記載のズームレンズ。
【請求項４】
前記第１レンズ群の焦点距離をｆ１、望遠端における全系の焦点距離をｆｔとするとき、
０．７５＜｜ｆ１｜／ｆｔ＜１．１０
なる条件式を満足することを特徴とする請求項１乃至３のいずれか１項に記載のズームレンズ。
【請求項５】
広角端における全系の焦点距離をｆｗとするとき、
２．２０＜ｆＮ／ｆｗ＜３．００
なる条件式を満足することを特徴とする請求項１乃至４のいずれか１項に記載のズームレンズ。
【請求項６】
前記第１レンズ群の最も物体側のレンズ面から前記第１レンズ群の最も像側のレンズ面までの光軸上の距離をＴＤＢ１、望遠端におけるレンズ全長をＴＤｔとするとき、
０．２６＜ＴＤＢ１／ＴＤｔ＜０．３１
なる条件式を満足することを特徴とする請求項１乃至５のいずれか１項に記載のズームレンズ。
【請求項７】
フォーカシングに際して、前記中間群に含まれる最も物体側のレンズ群が移動することを特徴とする請求項１乃至６のいずれか１項に記載のズームレンズ。
【請求項８】
ズーミングに際して全てのレンズ群が互いに異なる軌跡で移動することを特徴とする請求項１乃至７のいずれか１項に記載のズームレンズ。
【請求項９】
請求項１乃至８のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、例えば一眼レフカメラ・デジタルスチルカメラ・デジタルビデオカメラ、監視カメラ等に用いられる撮像光学系として好適なものである。
【背景技術】
【０００２】
近年、撮像装置に用いられる撮像光学系には、より広範囲な撮影条件に対応するために、広画角で、全ズーム範囲にわたり高い光学性能を有した小型のズームレンズであることが望まれている。また広画角化を図ったときに軸外光線の像面への入射角（撮像面の法線とのなす角度）が大きくなると、シェーディングが多く発生してくるので、シェーディングが少ないこと等が要望されている。全系が小型で広画角化が容易なズームレンズとして、物体側に負の屈折力のレンズ群が位置するネガティブリード型のズームレンズが知られている（特許文献１、２）。
【０００３】
特許文献１では物体側から像側へ順に、負、正、正、負、正の屈折力の第１レンズ群乃至第５レンズ群よりなり、各レンズ群を移動させてズーミングを行う５群ズームレンズを開示している。特許文献２では負の屈折力のレンズ群が先行する７つのレンズ群より構成され、ズーミングに際して隣り合うレンズ群の間隔を変えてズーミングを行う７群ズームレンズを開示している。
【先行技術文献】
【特許文献】
【０００４】
【特許文献１】特開２０１５−０２２２２０号公報
【特許文献２】特開２０１４−１６０２２９号公報
【発明の概要】
【発明が解決しようとする課題】
【０００５】
負の屈折力のレンズ群が先行するネガティブリード型のズームレンズは、全系の小型化を図りつつ、広画角化が比較的容易である。しかしながらネガティブリード型のズームレンズは開口絞りに対し、レンズ構成が非対称となる。このため、諸収差の補正が難しく、全ズーム範囲にわたり高い光学性能を得ることが大変難しい。
【０００６】
またレンズ全長を短くし、全系の小型化を図るにはバックフォーカスを短くするのが良い。バックフォーカスを短くするためには、像側に負の屈折力のレンズを配すれば良いが、そうすると軸外光線の撮像面への入射角が大きくなり色シェーディングが多く発生してくる。特に広画角化を図るにつれて色シェーディングが多く発生してくる。
【０００７】
本発明は、全系が小型で広画角かつズーム全域でシェーディングが少なく高画質を得ることが容易なズームレンズの提供を目的とする。
【課題を解決するための手段】
【０００８】
本発明のズームレンズは、Ｎを５以上の整数として、物体側から像側へ順に配置された、負の屈折力の第１レンズ群、正の屈折力のレンズ群を２つ以上有する中間群、負の屈折力の第（Ｎ−１）レンズ群、正の屈折力の第Ｎレンズ群より構成され、ズーミングに際して隣り合うレンズ群の間隔が変化するズームレンズであって、前記中間群は開口絞りを有し、広角端と望遠端におけるバックフォーカスを各々Ｓｋｄｗ、Ｓｋｄｔ、広角端と望遠端における前記開口絞りから像面までの距離を各々ＳＰＩｍｇｗ、ＳＰＩｍｇｔ、前記第（Ｎ−１）レンズ群の焦点距離をｆ（Ｎ−１）、前記第Ｎレンズ群の焦点距離をｆＮとするとき、
０．１５＜（Ｓｋｄｗ＋Ｓｋｄｔ）／（ＳＰＩｍｇｗ＋ＳＰＩｍｇｔ）＜０．２０
０．５０＜｜ｆ（Ｎ−１）｜／ｆＮ＜２．００
なる条件式を満足することを特徴としている。
【発明の効果】
【０００９】
本発明によれば、全系が小型で広画角かつズーム全域でシェーディングが少なく高画質を得ることが容易なズームレンズが得られる。
【図面の簡単な説明】
【００１０】
【図１】実施例１の無限遠に合焦しているときの広角端におけるレンズ断面図
【図２】（Ａ）、（Ｂ）、（Ｃ）  実施例１の無限遠に合焦しているときの広角端、中間のズーム位置、望遠端における縦収差図
【図３】実施例２の無限遠に合焦しているときの広角端におけるレンズ断面図
【図４】（Ａ）、（Ｂ）、（Ｃ）  実施例２の無限遠に合焦しているときの広角端、中間のズーム位置、望遠端における縦収差図
【図５】実施例３の無限遠に合焦しているときの広角端におけるレンズ断面図
【図６】（Ａ）、（Ｂ）、（Ｃ）  実施例３の無限遠に合焦しているときの広角端、中間のズーム位置、望遠端における縦収差図
【図７】本発明の撮像装置の要部概略図
【発明を実施するための形態】
【００１１】
以下に、本発明の好ましい実施の形態を添付の図面に基づいて詳細に説明する。本発明のズームレンズは、Ｎを５以上の整数として、物体側から像側へ順に配置された、負の屈折力の第１レンズ群、正の屈折力のレンズ群を２つ以上有する中間群、負の屈折力の第（Ｎ−１）レンズ群、正の屈折力の第Ｎレンズ群より構成される。そしてズーミングに際して隣り合うレンズ群の間隔が変化する。
【００１２】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比１．６７、Ｆナンバー２．８８のズームレンズである。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比１．６７、Ｆナンバー２．８８のズームレンズである。
【００１３】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比１．６７、Ｆナンバー２．８８のズームレンズである。図７は本発明の撮像装置の要部概略図である。本発明のズームレンズは、デジタルカメラ、ビデオカメラ、銀塩フィルムカメラ等の撮像装置に用いられるものである。
【００１４】
レンズ断面図において、左側が物体側（前方）、右側が像側（後方）である。ＯＬはズームレンズである。Ｌ１は負の屈折力の第１レンズ群、ＬＭは正の屈折力のレンズ群を２つ以上有する中間群である。Ｌ（Ｎ−１）は負の屈折力の第（Ｎ−１）レンズ群、ＬＮは正の屈折力の第Ｎレンズ群である。ＬＭｉ（ｉ＝１、２、３）は中間群ＬＭを構成する正の屈折力の第ＬＭｉレンズ群である。ＳＰは開口絞りである。ＦＰは不要光をカットするフレアカット絞りである。ＩＰはＣＣＤセンサやＣＭＯＳセンサなどの固体撮像素子（光電変換素子）の撮像面に相当する像面である。
【００１５】
以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。フォーカスに関する矢印は無限遠から近距離へのフォーカシングに際してのレンズ群の移動方向を示す。
【００１６】
球面収差図において、ＦｎｏはＦナンバーである。また実線のｄはｄ線（波長５８７．６ｎｍ）、破線のｇはｇ線（波長４３５．８ｎｍ）である。非点収差図で点線のΔＭはｄ線におけるメリディオナル像面、実線のΔＳはｄ線のサジタル像面である。歪曲収差図はｄ線について示している。倍率色収差図はｇ線について示している。ωは半画角（度）である。
【００１７】
以下に、広画角かつズーム全域で高画質なズームレンズを得るための手法について説明する。本発明のズームレンズは、Ｎを５以上の整数としたとき、物体側から像側へ順に配置された、次の各レンズ群より構成される。負の屈折力の第１レンズ群Ｌ１、複数の正の屈折力のレンズ群よりなる中間群ＬＭ、負の屈折力の第（Ｎ−１）レンズ群Ｌ（Ｎ−１）、正の屈折力の第Ｎレンズ群ＬＮより構成される。実施例１、３において、中間群ＬＭは３つの正の屈折力のレンズ群から構成される。また実施例２において、中間群ＬＭは２つの正の屈折力のレンズ群から構成される。
【００１８】
本発明のズームレンズは、ネガティブリード型の屈折力配置を採用し、広画角化を図っている。また、ズーミングに際して隣り合うレンズ群の間隔を変化させている。この構成により、変倍による像面位置の変動の補正を行いながら、ズーミングに伴う非点収差やコマ収差等の収差変動を良好に抑制している。
【００１９】
各実施例ではズーミングに際して全てのレンズ群が互いに異なった軌跡で移動する。フォーカシングに際しては中間群ＬＭに含まれる最も物体側のレンズ群ＬＭ１が移動する。無限遠から近距離へのフォーカシングに際してレンズ群ＬＭ１は像側へ移動する。中間群ＬＭは開口絞りＳＰを有する。広角端と望遠端におけるバックフォーカスを各々Ｓｋｄｗ、Ｓｋｄｔとする。広角端と望遠端における開口絞りＳＰから像面までの距離を各々ＳＰＩｍｇｗ、ＳＰＩｍｇｔとする。第（Ｎ−１）レンズ群Ｌ（Ｎ−１）の焦点距離をｆ（Ｎ−１）、第Ｎレンズ群ＬＮの焦点距離をｆＮとする。
【００２０】
このとき、
０．１５＜（Ｓｋｄｗ＋Ｓｋｄｔ）／（ＳＰＩｍｇｗ＋ＳＰＩｍｇｔ）＜０．２０
・・・（１）
０．５０＜｜ｆ（Ｎ−１）｜／ｆＮ＜２．００  ・・・（２）
なる条件式を満足する。次に前述の各条件式の技術的意味について説明する。
【００２１】
条件式（１）はバックフォーカスと、開口絞りＳＰから像面までの距離等を規定し、全系の小型化を図るためのものである。条件式（１）の下限を超えて、バックフォーカスが短すぎると、軸外光線の像面への入射角が大きくなりやすく、シェーディングが増加するためよくない。一方、上限を超えて、バックフォーカスが長くなりすぎると、レンズ全長が増大してしまうのでよくない。
【００２２】
条件式（２）は第（Ｎ−１）レンズ群Ｌ（Ｎ−１）の焦点距離の絶対値と第Ｎレンズ群ＬＮの焦点距離の比を規定し、主に高画質を得るためのものである。条件式（２）の下限を超えて、第（Ｎ−１）レンズ群Ｌ（Ｎ−１）の焦点距離の絶対値が第Ｎレンズ群ＬＮの焦点距離と比して短く（小さく）なりすぎると、軸外光線の像面への入射角が大きくなりすぎシェーディングが増加してしまう。
【００２３】
一方、上限を超えて、第（Ｎ−１）レンズ群Ｌ（Ｎ−１）の焦点距離の絶対値が第Ｎレンズ群ＬＮの焦点距離と比して長く（大きく）なりすぎると、像面湾曲や非点収差を良好に補正することが困難となる。
【００２４】
以上の構成をとることにより、広画角かつズーム全域で高画質を有するズームレンズを得ている。各実施例において、好ましくは次の条件式のうち１以上を満足するのが良い。第１レンズ群Ｌ１の焦点距離をｆ１とする。望遠端における全系の焦点距離をｆｔとする。広角端における全系の焦点距離をｆｗとする。第１レンズ群Ｌ１のレンズ群厚（第１レンズ群Ｌ１の最も物体側のレンズ面から第１レンズ群Ｌ１の最も像側のレンズ面までの光軸上の距離）をＴＤＢ１とする。望遠端におけるレンズ全長をＴＤｔとする。このとき、次の条件式のうち１つ以上を満足するのが良い。
【００２５】
０．７５＜｜ｆ１｜／ｆｔ＜１．１０    ・・・（３）
２．２０＜ｆＮ／ｆｗ＜３．００        ・・・（４）
０．２６＜ＴＤＢ１／ＴＤｔ＜０．３１  ・・・（５）
【００２６】
次に前述の各条件式の技術的意味について説明する。条件式（３）は第１レンズ群Ｌ１の焦点距離に関し、主に広画角化しつつ良好な光学性能を得るためのものである。条件式（３）の下限を超えて、第１レンズ群Ｌ１の負の焦点距離が短くなりすぎると（負の焦点距離の絶対値が大きくなりすぎると）、ズーム全域において像面湾曲の変動が増大し、この変動の補正が困難となる。一方、上限を超えて、第１レンズ群Ｌ１の負の焦点距離が長くなりすぎると（負の焦点距離の絶対値が小さくなりすぎると）、全系のレンズ全長が増大してしまうのでよくない。
【００２７】
条件式（４）は第Ｎレンズ群ＬＮの焦点距離に関し、主に良好な光学性能を得るためのものである。条件式（４）の下限を超えて、第Ｎレンズ群ＬＮの焦点距離が短くなりすぎると、コマ収差や非点収差の補正が困難となる。一方、上限を超えて、第Ｎレンズ群ＬＮの焦点距離が長くなりすぎると、軸外光線の像面への入射角が大きくなるためシェーディングが増加してしまう。
【００２８】
条件式（５）は第１レンズ群Ｌ１のレンズ群厚と望遠端におけるレンズ全長の比に関し、主に良好な光学性能を得るためのものである。条件式（５）の下限を超えて第１レンズ群Ｌ１のレンズ群厚が望遠端におけるレンズ全長に比して短くなりすぎると、第１レンズ群Ｌ１内のレンズの屈折力が強くなりすぎ、像面湾曲や歪曲収差を補正することが困難となる。一方、上限を超えて、第１レンズ群Ｌ１のレンズ群厚が望遠端におけるレンズ全長に比して長くなりすぎると、中間群ＬＭで球面収差やコマ収差を補正することが困難となる。更に好ましくは前述の各条件式の数値範囲を次の如く設定するのが良い。
【００２９】
０．１７０＜（Ｓｋｄｗ＋Ｓｋｄｔ）／（ＳＰＩｍｇｗ＋ＳＰＩｍｇｔ）＜０．１９５
・・・（１ａ）
０．７５＜｜ｆ（Ｎ−１）｜／ｆＮ＜１．８５    ・・・（２ａ）
０．８５＜｜ｆ１｜／ｆｔ＜０．９６    ・・・（３ａ）
２．３０＜ｆＮ／ｆｗ＜２．８５        ・・・（４ａ）
０．２７＜ＴＤＢ１／ＴＤｔ＜０．３０  ・・・（５ａ）
【００３０】
次に、各実施例の各レンズ群のレンズ構成に関して説明する。以下、断りがない限り、各レンズ群のレンズは物体側から像側へ順に配置されているものとする。実施例１のズームレンズの各レンズ群のレンズ構成について説明する。負の屈折力の第１レンズ群Ｌ１は、物体側に凸面を向けたメニスカス形状の負レンズ、物体側に凸面を向けたメニスカス形状で非球面を含む負レンズ、両凹形状の負レンズ、物体側に凸面を向けたメニスカス形状で非球面を含む正レンズにて構成している。この構成により歪曲収差や像面湾曲等を良好に補正している。
【００３１】
また、正の屈折力の中間群ＬＭは、正の屈折力の第ＬＭ１レンズ群ＬＭ１、正の屈折力の第ＬＭ２レンズ群ＬＭ２、正の屈折力の第ＬＭ３レンズ群ＬＭ３により構成している。ズーミングの際にそれぞれのレンズ群の間隔を変化させることで、変倍による収差変動を良好に補正している。
【００３２】
第ＬＭ１レンズ群ＬＭ１は両凸形状で非球面を含む正レンズにて構成している。これにより球面収差を良好に補正している。第ＬＭ２レンズ群ＬＭ２は、両凸形状の正レンズと像側に凸面を向けたメニスカス形状で非球面を含む負レンズを接合した接合レンズ、両凸形状の正レンズにて構成している。これにより、球面収差や色収差等を補正している。第ＬＭ３レンズ群ＬＭ３は、両凹形状の負レンズ、両凸形状の正レンズと両凹形状の負レンズを接合した接合レンズ、両凹形状の負レンズと両凸形状の正レンズを接合した接合レンズにて構成している。これにより、コマ収差や色収差等を良好に補正している。
【００３３】
また、負の屈折力の第（Ｎ−１）レンズ群Ｌ（Ｎ−１）は、次のレンズ構成よりなる。像側に凸面を向けたメニスカス形状で非球面を含む負レンズ、物体側に凸面を向けたメニスカス形状の負レンズと両凸形状の正レンズを接合した接合レンズ、像側に凸面を向けたメニスカス形状の負レンズにより構成している。これにより非点収差や像面湾曲等を良好に補正している。また、正の屈折力の第Ｎレンズ群ＬＮは両凸形状の正レンズにより構成している。これにより、軸外光線の像面への入射角を小さくしている。
【００３４】
次に実施例２のズームレンズの各レンズ群のレンズ構成について説明する。負の屈折力の第１レンズ群Ｌ１は、物体側に凸面を向けたメニスカス形状の負レンズ、物体側に凸面を向けたメニスカス形状で非球面を含む負レンズ、物体側に凸面を向けたメニスカス形状の負レンズを有する。更に両凹形状の負レンズ、物体側に凸面を向けたメニスカス形状で非球面を含む正レンズにて構成している。この構成により歪曲収差や像面湾曲等を良好に補正している。また、正の屈折力の中間群ＬＭは、正の屈折力の第ＬＭ１レンズ群ＬＭ１、正の屈折力の第ＬＭ２レンズ群ＬＭ２により構成している。
【００３５】
ズーミングの際にそれぞれのレンズ群の間隔を変化させることで、変倍による収差変動を補正している。第ＬＭ１レンズ群ＬＭ１は両凸形状で非球面を含む正レンズと像側に凸面を向けたメニスカス形状の負レンズを接合した接合レンズにて構成している。これにより球面収差を良好に補正している。第ＬＭ２レンズ群ＬＭ２は両凸形状の正レンズと両凹形状で非球面を含む負レンズを接合した接合レンズ、両凸形状の正レンズにより構成している。これにより、コマ収差や色収差等を良好に補正している。
【００３６】
また、負の屈折力の第（Ｎ−１）レンズ群Ｌ（Ｎ−１）は、物体側に凸面を向けたメニスカス形状の負レンズと両凸形状の正レンズと両凹形状の負レンズを接合した接合レンズ、両凹形状の負レンズと両凸形状の正レンズを接合した接合レンズを有する。更に像側に凸面を向けたメニスカス形状で非球面を含む負レンズ、物体側に凸面を向けたメニスカス形状の負レンズと両凸形状の正レンズを接合した接合レンズ、像側に凸面を向けたメニスカス形状の負レンズにより構成している。
【００３７】
これにより非点収差や像面湾曲等を良好に補正している。また、正の屈折力の第Ｎレンズ群ＬＮは両凸形状の正レンズにより構成している。これにより、軸外光線の像面への入射角を小さくしている。
【００３８】
次に実施例３のズームレンズの各レンズ群のレンズ構成について説明する。実施例３は実施例１に比べてレンズ群の数、ズーミングに際しての各レンズ群の移動軌跡が同じである。また実施例１に比べて、第１レンズ群Ｌ１、第ＬＭ１レンズ群ＬＭ１、第ＬＭ３レンズ群ＬＭ３、第（Ｎ−１）レンズ群Ｌ（Ｎ−１）、第Ｎレンズ群ＬＮのレンズの数、各レンズの形状等は同じである。
【００３９】
第ＬＭ２レンズ群ＬＭ２のレンズ構成が実施例１と異なっている。第ＬＭ２レンズ群ＬＭ２は、両凹形状で非球面を含む負レンズと両凸形状の正レンズを接合した接合レンズ、両凸形状の正レンズにて構成している。これにより、球面収差や色収差等を良好に補正している。
【００４０】
次に各実施例に示したズームレンズを撮像光学系として用いたデジタルスチルカメラの実施形態を図７を用いて説明する。図７において２０はカメラ本体、２１は実施例１乃至３で説明したいずれかのズームレンズによって形成された撮像光学系である。２２はカメラ本体に内蔵され、撮像光学系２１によって形成された被写体像を受光するＣＣＤセンサやＣＭＯＳセンサ等の固体撮像素子（光電変換素子）である。
【００４１】
２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００４２】
このように本発明のズームレンズをデジタルスチルカメラ等の撮像装置に適用することにより、小型で高い光学性能を持った撮像装置を実現できる。各実施例のズームレンズはクイックリターンミラーのある一眼レフカメラやクイックリターンミラーのないミラーレスの一眼レフカメラにも同様に適用できる。
以下、実施例１乃至３に対応する数値データ１乃至３を示す。各数値データにおいて、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。バックフォーカスＢＦは最終レンズ面から像面までの空気換算距離である。レンズ全長は第１レンズ面から最終レンズ面までの距離にバックフォーカスＢＦを加えた値である。
【００４３】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０、Ａ１２を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０＋Ａ１２×ｈ１２
なる式で表している。なお、数値の「Ｅ±ＸＸ」は「×１０±ＸＸ」を意味している。
【００４４】
また、各光学面の間隔ｄが（可変）となっている部分は、ズーミングに際して変化するものであり、焦点距離に応じた面間隔を記している。尚、以下に記載する数値データ１乃至３のレンズデータに基づく、各条件式の計算結果を表１に示す。 
【００４５】
（数値データ１）
単位 mm
面データ
面番号       r        d      nd         νd       有効径
1         35.749    2.80   1.85150    40.8       59.57
2         20.565   11.16                         41.06
3         29.485    1.90   1.49700    81.5       41.00
4*        13.450   17.11                         36.31
5        -41.374    1.65   1.49700    81.5       35.52
6         52.138    0.10                         34.73
7*        37.128    5.48   1.80000    29.8       34.98
8        457.876  (可変)                         34.54
9*        98.338    3.48   1.75500    52.3       26.63
10*       -78.138  (可変)                         26.35
11          ∞       2.40                         22.21(フレアカット絞り)
12        463.673    2.82   1.49700    81.5       22.26
13        -53.245    1.10   1.74077    27.8       22.25
14*     -1845.505    0.76                         22.39
15         25.854    5.80   1.53775    74.7       22.86
16        -55.508  (可変)                         22.37
17          ∞       1.05                         19.16(絞り)
18       -906.042    1.00   1.72825    28.5       18.51
19         24.606    0.27                         17.57
20         27.306    7.36   1.59522    67.7       17.56
21        -13.441    0.90   1.58144    40.8       16.70
22         61.657    1.79                         15.37
23        -24.884    0.80   1.54814    45.8       15.34
24         21.075    4.68   1.80809    22.8       16.02
25        -33.404  (可変)                         16.95
26*       -34.243    1.00   1.80809    22.8       19.12
27       -162.942    0.10                         20.58
28         39.796    1.00   1.89190    37.1       23.00
29         21.252    7.06   1.43875    94.7       23.57
30        -47.217    1.87                         25.09
31        -24.617    1.10   1.68893    31.1       25.19
32        -33.189  (可変)                         27.00
33         95.322    8.60   1.49700    81.5       41.74
34        -52.183  (可変)                         42.34
像面        ∞   
【００４６】
非球面データ
第4面
K =-2.38786e+000  A 4= 8.42913e-005  A 6=-2.28688e-007  A 8= 6.42060e-010  A10=-1.30879e-012  
第7面
K = 0.00000e+000  A 4=-2.70203e-006  A 6= 7.11214e-009  A 8=-7.23278e-011  A10= 1.89344e-013  A12=-2.36345e-016  
第9面
K = 0.00000e+000  A 4=-8.57973e-006  A 6= 3.62136e-008  A 8=-4.05879e-010  A10= 3.09821e-012  A12=-7.86951e-015  
第10面
K = 0.00000e+000  A 4=-7.37922e-006  A 6= 3.26228e-008  A 8=-3.15000e-010  A10= 2.47173e-012  A12=-6.65169e-015  
第14面
K = 0.00000e+000  A 4= 4.83663e-006  A 6= 3.16648e-009  A 8= 1.41565e-011  A10=-9.99241e-014  A12= 1.30680e-015  
第26面
K = 0.00000e+000  A 4=-2.57416e-005  A 6=-5.19718e-008  A 8= 4.36871e-013  A10=-2.17655e-012  A12= 1.21090e-014  
【００４７】
各種データ
ズーム比     1.67 
広角    中間      望遠
焦点距離      16.48    23.58    27.44 
Fナンバー      2.88     2.88     2.88 
半画角（度）  52.70    42.53    38.25 
像高          21.64    21.64    21.64 
レンズ全長   144.00   139.36   140.71 
BF            12.33    11.29    10.00 
d 8           20.23     7.94     4.58 
d10            9.35     6.57     5.69 
d16            1.00     3.37     3.82 
d25            4.93     3.42     3.13 
d32            1.00    11.62    18.33 
d34           12.33    11.29    10.00 
入射瞳位置    28.57    27.85    27.56 
射出瞳位置   -52.52   -90.75  -134.08 
前側主点位置  40.86    45.98    49.78 
後側主点位置  -4.15   -12.29   -17.44 
【００４８】
ズームレンズ群データ
群  始面    焦点距離  レンズ構成長  前側主点位置  後側主点位置
1    1     -24.13        40.21        10.11        -24.04
2    9      58.16         3.48         1.12         -0.89
3   11      37.29        12.89         7.13         -2.40
4   17    1081.96        17.84       171.98        189.43
5   26     -67.87        12.13        -0.54         -9.28
6   33      69.19         8.60         3.79         -2.07
【００４９】
単レンズデータ
レンズ  始面  焦点距離
1       1    -62.13
2       3    -51.80
3       5    -46.15
4       7     50.21
5       9     58.16
6      12     96.27
7      13    -74.03
8      15     33.64
9      18    -32.88
10      20     16.23
11      21    -18.90
12      23    -20.69
13      24     16.63
14      26    -53.84
15      28    -52.47
16      29     34.49
17      31   -145.99
18      33     69.19
【００５０】
（数値データ２）
単位 mm
面データ
面番号       r        d      nd         νd       有効径
1         35.921    3.03   1.85150    40.8       63.94
2         22.415   12.90                         44.83
3         31.183    2.12   1.49700    81.5       44.76
4*        15.203   10.95                         39.52
5        103.234    1.88   1.49700    81.5       39.43
6         35.551    8.49                         36.07
7        -48.372    1.73   1.49700    81.5       36.02
8        128.128    0.10                         35.88
9*        44.940    4.37   1.80000    29.8       36.14
10       1037.941  (可変)                         35.88
11*       103.218    7.21   1.67790    55.3       26.15
12        -24.175    1.60   1.64000    60.1       25.12
13       -100.146  (可変)                         23.48
14          ∞       1.00                         23.80(フレアカット絞り)
15         93.352    3.09   1.49700    81.5       23.88
16       -134.528    1.21   1.74077    27.8       23.78
17*        69.944    0.10                         23.71
18         24.847    5.87   1.53775    74.7       24.24
19        -98.734  (可変)                         23.77
20          ∞       1.30                         22.59(絞り)
21        113.534    0.99   1.72825    28.5       21.66
22         31.190    9.11   1.59522    67.7       20.82
23        -15.300    0.92   1.58144    40.8       19.49
24         69.229    2.92                         17.66
25        -22.715    0.84   1.54814    45.8       17.39
26         22.992    3.76   1.80809    22.8       17.53
27        -40.263    5.12                         17.87
28*       -47.009    1.03   1.80809    22.8       20.12
29      -3221.017    0.10                         21.64
30         37.176    1.23   1.89190    37.1       24.41
31         23.295    7.22   1.43875    94.7       24.93
32        -35.956    1.11                         25.86
33        -30.661    1.29   1.68893    31.1       26.29
34        -57.272  (可変)                         28.36
35        105.659    7.28   1.49700    81.5       42.36
36        -58.374  (可変)                         42.68
像面        ∞   
【００５１】
非球面データ
第4面
K =-2.55547e+000  A 4= 6.58293e-005  A 6=-1.49478e-007  A 8= 3.51123e-010  A10=-5.93399e-013  
第9面
K = 0.00000e+000  A 4=-2.07987e-006  A 6= 3.21457e-009  A 8=-3.07530e-011  A10= 8.48174e-014  A12=-1.05748e-016  
第11面
K = 1.36258e+000  A 4=-2.33455e-006  A 6= 2.53984e-009  A 8=-1.31459e-011  A10= 3.09617e-014  
第17面
K = 0.00000e+000  A 4= 1.17550e-006  A 6= 5.64856e-009  A 8=-1.50254e-011  A10= 1.60237e-014  A12= 3.61704e-016  
第28面
K = 0.00000e+000  A 4=-2.72851e-005  A 6=-3.75015e-008  A 8=-1.96124e-010  A10=-2.77633e-013  A12= 2.13970e-015  
【００５２】
各種データ
ズーム比     1.67 
広角    中間      望遠
焦点距離      16.48    23.08    27.44 
Fナンバー      2.88     2.88     2.88 
半画角（度）  52.70    43.15    38.25 
像高          21.64    21.64    21.64 
レンズ全長   157.98   155.38   156.67 
BF            14.46    11.44    10.00 
d10           21.37    10.04     5.46 
d13           10.25     7.79     6.87 
d19            1.00     1.49     1.59 
d34            1.00    14.73    22.85 
d36           14.46    11.44    10.00 
入射瞳位置    32.44    31.46    30.97 
射出瞳位置   -50.60  -102.53  -160.00 
前側主点位置  44.74    49.87    53.98 
後側主点位置  -2.02   -11.64   -17.44 
【００５３】
ズームレンズ群データ
群  始面    焦点距離  レンズ構成長  前側主点位置  後側主点位置
1    1     -25.74        45.57        12.77        -27.06
2   11      70.17         8.81         2.83         -2.53
3   14      51.21        11.27         4.32         -3.48
4   20    -138.51        36.97        13.84        -13.09
5   35      76.79         7.28         3.18         -1.76
【００５４】
単レンズデータ
レンズ  始面  焦点距離
1       1    -78.05
2       3    -62.44
3       5   -110.12
4       7    -70.42
5       9     58.60
6      11     29.57
7      12    -50.21
8      15    111.39
9      16    -61.97
10      18     37.54
11      21    -59.35
12      22     18.61
13      23    -21.46
14      25    -20.71
15      26     18.60
16      28    -59.04
17      30    -73.01
18      31     33.46
19      33    -97.72
20      35     76.79
【００５５】
（数値データ３）
単位 mm
面データ
面番号       r        d      nd         νd       有効径
1         35.789    2.87   1.85150    40.8       59.51
2         20.652   11.48                         41.20
3         29.661    1.98   1.49700    81.5       40.99
4*        13.446   16.10                         36.20
5        -41.693    1.74   1.49700    81.5       36.04
6         58.593    0.40                         35.20
7*        36.437    4.57   1.80000    29.8       35.51
8        282.813  (可変)                         35.24
9*       129.440    2.90   1.75500    52.3       27.12
10*       -75.680  (可変)                         26.82
11          ∞       4.02                         22.17(フレアカット絞り)
12*     -7023.660    1.13   1.74077    27.8       22.34
13         61.130    2.18   1.49700    81.5       22.47
14       -451.520    0.10                         22.60
15         24.733    5.24   1.53775    74.7       23.12
16        -56.097  (可変)                         22.81
17          ∞       1.15                         19.79(絞り)
18       -339.665    1.02   1.72825    28.5       19.12
19         25.967    0.10                         18.15
20         25.579    5.97   1.59522    67.7       18.14
21        -14.259    0.87   1.58144    40.8       17.76
22         60.384    2.60                         16.23
23        -25.616    0.81   1.54814    45.8       15.94
24         20.695    4.90   1.80809    22.8       15.94
25        -32.663  (可変)                         16.88
26*       -34.378    0.99   1.80809    22.8       18.45
27       -179.144    0.96                         19.75
28         44.504    1.17   1.89190    37.1       22.50
29         21.052    6.35   1.43875    94.7       23.17
30        -44.376    1.64                         24.19
31        -24.547    1.27   1.68893    31.1       24.29
32        -36.293  (可変)                         26.39
33        115.018    8.45   1.49700    81.5       41.72
34        -44.314  (可変)                         42.19
像面        ∞   
【００５６】
非球面データ
第4面
K =-2.34713e+000  A 4= 8.08272e-005  A 6=-2.15656e-007  A 8= 5.83864e-010  A10=-1.20831e-012  
第7面
K = 0.00000e+000  A 4=-3.82488e-006  A 6= 7.50164e-009  A 8=-6.83934e-011  A10= 1.61458e-013  A12=-1.86915e-016  
第9面
K = 0.00000e+000  A 4=-9.65024e-006  A 6= 3.37431e-008  A 8=-3.56507e-010  A10= 3.35235e-012  A12=-8.63255e-015  
第10面
K = 0.00000e+000  A 4=-8.41192e-006  A 6= 2.92527e-008  A 8=-2.55221e-010  A10= 2.64062e-012  A12=-7.26884e-015  
第12面
K = 0.00000e+000  A 4=-4.76262e-006  A 6=-3.40972e-009  A 8=-1.67464e-011  A10= 1.36615e-013  A12=-1.78303e-015  
第26面
K = 0.00000e+000  A 4=-2.94568e-005  A 6=-6.89205e-008  A 8= 2.75710e-010  A10=-7.24074e-012  A12= 3.86668e-014  
【００５７】
各種データ
ズーム比     1.67 
広角    中間      望遠
焦点距離      16.48    23.53    27.44 
Fナンバー      2.88     2.88     2.88 
半画角（度）  52.70    42.59    38.25 
像高          21.64    21.64    21.64 
レンズ全長   144.00   139.20   140.54 
BF            12.92    12.26    11.34 
d 8           21.40     8.89     5.32 
d10           10.41     7.59     6.72 
d16            1.00     2.95     3.37 
d25            4.28     3.26     3.03 
d32            1.02    11.27    17.79 
d34           12.92    12.26    11.34 
入射瞳位置    29.00    28.13    27.80 
射出瞳位置   -51.58   -92.43  -139.96 
前側主点位置  41.26    46.38    50.27 
後側主点位置  -3.56   -11.27   -16.10 
【００５８】
ズームレンズ群データ
群  始面    焦点距離  レンズ構成長  前側主点位置  後側主点位置
1    1     -24.94        39.15         9.99        -23.84
2    9      63.64         2.90         1.05         -0.61
3   11      35.81        12.66         7.60         -2.08
4   17     269.26        17.43        48.55         43.77
5   26     -52.37        12.38         0.24         -8.73
6   33      65.52         8.45         4.15         -1.60
【００５９】
単レンズデータ
レンズ  始面  焦点距離
1       1    -62.83
2       3    -51.58
3       5    -48.73
4       7     51.86
5       9     63.64
6      12    -81.81
7      13    108.49
8      15     32.66
9      18    -33.09
10      20     16.29
11      21    -19.75
12      23    -20.75
13      24     16.35
14      26    -52.81
15      28    -45.87
16      29     33.54
17      31   -115.16
18      33     65.52
【００６０】
【表１】
2018077320.tif 000003
【符号の説明】
【００６１】
Ｌ１  第１レンズ群      ＬＭ  中間群      ＬＭｉ  中間群を構成するレンズ群
Ｌ（Ｎ−１）  第（Ｎ−１）レンズ群      ＬＮ  第Ｎレンズ群
【図１】
2018077320.tif 000004
【図２】
2018077320.tif 000005
【図３】
2018077320.tif 000006
【図４】
2018077320.tif 000007
【図５】
2018077320.tif 000008
【図６】
2018077320.tif 000009
【図７】
2018077320.tif 000010